(57)【要約】      （修正有）【課題】ピロー包装された商品が、その形を壊すことなく、身箱内に整列させて収納且つ展示できるようにする。【解決手段】長方形状板紙の中央に多角形孔１を順に穿設した山折り片２を設け、山折り片２の両外側辺に長方形状の底面パネルをミシン目を介して連ね、底面パネルの外側辺に前記多角形孔１に対向した箇所に台形孔５を穿設した折り曲げ片６をミシン目を介して連ねてなるピロー包装商品の中仕切りとした。【選択図】図２
2008081147.tif 000002
【特許請求の範囲】
【請求項１】
長方形状板紙の中央に多角形孔を順に穿設した山折り片を設け、山折り片の両外側辺に長方形状の底面パネルをミシン目を介して連ね、底面パネルの外側辺に前記多角形孔に対向した箇所に台形孔を穿設した折り曲げ片をミシン目を介して連ねてなるピロー包装商品の中仕切り。
【請求項２】
山折り片を中央の折り曲げ線で山状に折り曲げ、両折り曲げ片をミシン目で上向きに折り曲げて多角形孔と台形孔により形成された係合段部にピロー包装商品を保持させるようにした請求項１記載のピロー包装商品の中仕切り。
【請求項３】
山折り片を中央の折り曲げ線で山状に折り曲げ、両折り曲げ片をミシン目で上向きに折り曲げて、両折り曲げ片端部を下方に折り曲げ、多角形孔と台形孔により形成された係合段部にピロー包装商品を保持させるようにした請求項１記載のピロー包装商品の中仕切り。
【発明の詳細な説明】
【技術分野】
【０００１】
本発明は、お菓子等の商品をピロー包装したピロー包装商品の中仕切りに関するものである。
【背景技術】
【０００２】
従来は、図８に示すようなピロー包装商品１０１は、図９に示す波形仕切り１０２を身箱１０３内に収容し、波形仕切り１０２上にピロー包装商品１０１を載置する。
【０００３】
消費者が自宅等で蓋を開けてみると、身箱中の菓子がバラバラになっている事が非常に多い。
【特許文献１】特開２００１−１４６２３０号公報
【発明の開示】
【発明が解決しようとする課題】
【０００４】
ピロー包装された商品が、その形を壊すことなく、身箱内に整列させて収納且つ展示できるようにすることを目的とする。
【課題を解決するための手段】
【０００５】
そこで、本発明は、上記の事情に鑑み、ピロー包装された商品の形を壊すことなく、身箱内に整列させて収納且つ展示できるようにすべく、長方形状板紙の中央に多角形孔を順に穿設した山折り片を設け、山折り片の両外側辺に長方形状の底面パネルをミシン目を介して連ね、底面パネルの外側辺に前記多角形孔に対向した箇所に台形孔を穿設した折り曲げ片をミシン目を介して連ねてなるピロー包装商品の中仕切りである。
【０００６】
また、本発明は、具体的には、山折り片を中央の折り曲げ線で山状に折り曲げ、両折り曲げ片をミシン目で上向きに折り曲げて多角形孔と台形孔により形成された係合段部にピロー包装商品を保持させるようにしたピロー包装商品の中仕切りである。
【０００７】
さらに、本発明は、具体的には、山折り片を中央の折り曲げ線で山状に折り曲げ、両折り曲げ片をミシン目で上向きに折り曲げて、両折り曲げ片端部を下方に折り曲げ、多角形孔と台形孔により形成された係合段部にピロー包装商品を保持させるようにしたピロー包装商品の中仕切りである。
【発明の効果】
【０００８】
本発明は、長方形状板紙の中央に多角形孔を順に穿設した山折り片を設け、山折り片の両外側辺に長方形状の底面パネルをミシン目を介して連ね、底面パネルの外側辺に前記多角形孔に対向した箇所に台形孔を穿設した折り曲げ片をミシン目を介して連ねてなるピロー包装商品の中仕切りであるので、ピロー包装された商品の形を壊すことなく、身箱内に整列させて収納且つ展示できるようにする。
【０００９】
また、本発明は、具体的には、山折り片を中央の折り曲げ線で山状に折り曲げ、両折り曲げ片をミシン目で上向きに折り曲げて多角形孔と台形孔により形成された係合段部にピロー包装商品を保持させるようにしたピロー包装商品の中仕切りであるので、ピロー包装された商品の形を壊すことなく、身箱内に整列させて収納且つ展示できるようにする。
【００１０】
さらに、本発明は、具体的には、山折り片を中央の折り曲げ線で山状に折り曲げ、両折り曲げ片をミシン目で上向きに折り曲げて、両折り曲げ片端部を下方に折り曲げ、多角形孔と台形孔により形成された係合段部にピロー包装商品を保持させるようにしたピロー包装商品の中仕切りであるので、ピロー包装された商品の形を壊すことなく、身箱内に整列させて収納且つ展示できる。
【発明を実施するための最良の形態】
【００１１】
本発明を添付する図面に基づいて、以下詳細に説明する。
【００１２】
本発明は、長方形状板紙の中央に多角形孔を順に穿設した山折り片を設け、山折り片の両外側辺に長方形状の底面パネルを連ね、底面パネルの外側辺に前記多角形孔に対向した箇所に台形孔を穿設した折り曲げ片をミシン目を介して連ねてなるピロー包装商品の中仕切りである。
【００１３】
本発明の展開図を図１に示す。
【００１４】
長方形状板紙により作製する。
【００１５】
長方形状板紙を横長にして、その中央に多角形孔１を順に穿設した縦長状の山折り片２を設け、山折り片２の両外側に長方形状の底面パネル３をミシン目４を介して連ね、底面パネル３の外側辺に前記多角形孔１に対向する箇所に台形孔５を穿設した折り曲げ片６をミシン目７を介して連ねる。
【００１６】
上記展開図に示す中仕切りを使用する際は、図２に示すように折り曲げて使用する。
【００１７】
山折り片２を中央の折り曲げ線８で山状に折り曲げ、両折り曲げ片６をミシン目７で上向きに折り曲げて多角形孔１と台形孔５により形成された係合段部９にピロー包装商品を保持させる。
【００１８】
この中仕切りは、山折り片２の山の高さを変えると幅ｗが変化し、多角形孔１・台形孔５の所要数を決めればその長さｌが決まる。
【００１９】
図３はピロー包装商品１０を中仕切りに保持させた正面模式図である。
【００２０】
図４は、本発明の中仕切りの折り曲げ片６の端部１２を中央の折り曲げ線１１で下方に折り曲げた状態を示す斜視模式図である。
【００２１】
図５は、ピロー包装商品１０が係合段部９に係合され、山折り片２の中央の傾き１４と折り曲げ片６の傾き１５でピロー包装商品１０を押え付けられた状態を示す正面模式図である。
【００２２】
図６は、ピロー包装商品１０が山折り片２の中央の傾き１４で押え付けられた状態の側面模式図である。
【００２３】
図７に身箱１３に本発明の中仕切りが収容された状態を示す。
【００２４】
中仕切りの幅ｗは、山折り片２の高さを変えることにより決定され、中仕切りの長さｌは多角形孔１・台形孔５の所要の個数により決まり、中仕切りの高さｈは蓋（図示せず）で決定される。
【００２５】
本中仕切りは、ピロー包装された商品が、その形を壊すことなく、身箱内に整列させて収納且つ展示できる。
【実施例１】
【００２６】
板紙１６６ｍｍ×２８６ｍｍ、山折り片７０ｍｍ、底面パネル５８ｍｍ、折り曲げ片５０ｍｍである。
【産業上の利用可能性】
【００２７】
本発明は、ピロー包装商品の中仕切りとして開発したが、薄いフィルムの袋に収容した菓子用としても用いることができる。
【図面の簡単な説明】
【００２８】
【図１】本発明の中仕切りの展開図である。
【図２】本発明の中仕切りの使用状態を示す斜視模式図である。
【図３】本発明の中仕切りにピロー包装商品を保持させた状態を示す正面模式図である。
【図４】本発明の中仕切りの折り曲げ片の端部を中央折り曲げ線で下方に折り曲げた状態を示す斜視模式図である。
【図５】ピロー包装商品が本発明の中仕切りの係合段部で係合され、山折り片の中央部の突起と折り曲げ片の傾きで押え付けられた状態を示す正面模式図である。
【図６】ピロー包装商品を山折り片の中央部の突起で押さえ付けられた状態を示す側面模式図である。
【図７】身箱に本発明の中仕切りが収容された状態を示す、斜視図である。
【図８】従来のピロー包装商品の斜視図である。
【図９】従来の波形仕切りを身箱内に収容し、波形仕切り上にピロー包装商品を載置した状態の斜視図である。
【符号の説明】
【００２９】
１…多角形孔
２…山折り片
５…台形孔
６…折り曲げ片
１３…身箱
【図１】
2008081147.tif 000003
【図２】
2008081147.tif 000004
【図３】
2008081147.tif 000005
【図４】
2008081147.tif 000006
【図５】
2008081147.tif 000007
【図６】
2008081147.tif 000008
【図７】
2008081147.tif 000009
【図８】
2008081147.tif 000010
【図９】
2008081147.tif 000011